【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】レンズ鏡筒
【手続補正２】
【補正対象書類名】明細書
【補正対象項目名】特許請求の範囲
【補正方法】変更
【補正の内容】
【特許請求の範囲】
【請求項１】
固定筒と、該固定筒に対し光軸方向に回転繰り出し作動する移動群と、該移動群に一体的に固定される電気素子と、該固定筒と一体的な固定部に取り付けられた該電気素子を制御するための制御部と、該電気素子と該制御部とを接続するための可撓性プリント配線接続部材と、該可撓性プリント配線接続部材を該制御部に対し該固定筒の光軸方向とほぼ平行に固定保持するための固定側保持部材とを有し、光軸に対し放射方向とほぼ平行に配置される該固定側保持部材と該電気素子との間の該可撓性プリント配線接続部材のプリント配線面が、該移動群の回転初期位置において、光軸位置に対し外周側に開く形状に配設することを特徴とするレンズ鏡筒。
【請求項２】
該可撓性プリント配線接続部材が該固定側保持部材により該固定筒の光軸方向とほぼ平行にＳ字状に配設されていることを特徴とする請求項１記載のレンズ鏡筒。
【請求項３】
該可撓性プリント配線接続部材の可動部分をほぼ直線形状にしたことを特徴とする請求項１または２記載のレンズ鏡筒。
【請求項４】
該固定側保持部材が該固定筒と一体的に設けることを特徴とする請求項１、２、３のいずれかに記載のレンズ鏡筒。
【請求項５】
該電気素子が一体的に固定される該移動群に、該固定側保持部材と該電気素子との間の該プリント配線面が、該移動群に一体的に固定される電気素子の総回転量のほぼ中間位置で光軸に対し放射方向と平行となるように保持する可動側保持部材を設けることを特徴とする請求項１、２、３、４のいずれかに記載のレンズ鏡筒。
【請求項６】
該電気素子が電気的絞り装置であることを特徴とする請求項１、２、３、４、５のいずれかに記載のレンズ鏡筒。
【請求項７】
該電気素子がブレを補正するブレ補正装置の構成の一部であることを特徴とする請求項１、２、３、４、５のいずれかに記載のレンズ鏡筒。
【手続補正３】
【補正対象書類名】明細書
【補正対象項目名】０００１
【補正方法】変更
【補正の内容】
【０００１】
【発明の属する技術分野】  本発明は、回転繰り出しする移動レンズ群に一体的に取付けられた電気素子を有するレンズ鏡筒に関するものである。
【手続補正４】
【補正対象書類名】明細書
【補正対象項目名】０００３
【補正方法】変更
【補正の内容】
【０００３】  
【発明が解決しようとする課題】  ところが、前述従来例１では弛んだ際のリード線やフレキシブルプリント配線板が固定筒内の他の移動レンズ群や他の部材に接触してストレスや断線、あるいは異音発生や作動不良等が生じないように広いスペースを与える必要があり、レンズ鏡筒自体の小型化には不適切であった。
また、前述従来例２では移動部材が固定筒に対し光軸方向に直進移動する場合にしか対応せず、電気的絞り装置が回転繰り出しするような移動群に固定される場合は用いることができなかった。
さらには前述従来例３では固定筒内にフレキシブルプリント配線板がらせん状に配置できるだけの周方向のスペースが必要になり、また、らせん状を展開したフレキシブルプリント配線板では製造する際の面積が大きくなり、コストがかかるという問題点もあった。
【手続補正５】
【補正対象書類名】明細書
【補正対象項目名】０００４
【補正方法】変更
【補正の内容】
【０００４】
本発明は、前述従来技術の欠点を除去し、固定筒に対しフォーカシングあるいはズーミングのために光軸方向に回転繰り出しする移動群に一体的に取付けられる電気的絞り装置、電気的シャッタ装置あるいはブレ補正装置等の電気素子と、固定部に配置されている制御部とを電気的に接続するのに、フレキシブルプリント配線接続部材が作動する内周部に固定あるいは移動する部材があっても、接触して異音発生や作動不良となることのない小型のレンズ鏡筒を提供することを目的とする。
【手続補正６】
【補正対象書類名】明細書
【補正対象項目名】０００６
【補正方法】変更
【補正の内容】
【０００６】
【発明の実施の態様】  請求項１に示す本発明は、固定筒と、該固定筒に対し光軸方向に回転繰り出し作動する移動群と、該移動群に一体的に固定される電気素子と、該固定筒と一体的な固定部に取り付けられた該電気素子を制御するための制御部と、該電気素子と該制御部とを接続するための可撓性プリント配線接続部材と、該可撓性プリント配線接続部材を該制御部に対し該固定筒の光軸方向とほぼ平行に固定保持するための固定側保持部材とを有し、光軸に対し放射方向とほぼ平行に配置される該固定側保持部材と該電気素子との間の該可撓性プリント配線接続部材のプリント配線面が、該移動群の回転初期位置において、光軸位置に対し外周側に開く形状に配設することにより、可撓性プリント配線接続部材の外周側の円周長が内周側の円周長よりも長く必要になるため、回転量のほぼ中間位置で外周側に引っ張られることになり、結果的に内周への振込量を調整することが可能になる。
【手続補正７】
【補正対象書類名】明細書
【補正対象項目名】０００７
【補正方法】変更
【補正の内容】
【０００７】
請求項２に示す本発明は該可撓性プリント配線接続部材が該固定側保持部材により該固定筒の光軸方向とほぼ平行にＳ字状に配設されていることにより、可撓性プリント配線接続部材に、よりストレスをかけることなく作動を可能にする。
請求項３に示す本発明は該可撓性プリント配線接続部材の可動部分をほぼ直線形状にしたことにより、作動屈曲部の組付けをより容易に行えるようにする。
請求項４に示す本発明は該固定側保持部材が該固定筒と一体的に設けることにより、部品点数を削減できる。
【手続補正８】
【補正対象書類名】明細書
【補正対象項目名】０００８
【補正方法】変更
【補正の内容】
【０００８】
請求項５に示す本発明は該電気素子が一体的に固定される該移動群に、該固定側保持部材と該電気素子との間の該プリント配線面が、該移動群に一体的に固定される電気素子の総回転量のほぼ中間位置で光軸に対し放射方向と平行となるように保持する可動側保持部材を設けることにより、可動側保持部材と固定側保持部材に保持された可撓性プリント配線接続部材の可動領域が省スペースに限定することができる。
請求項６に示す本発明は該電気素子が電気的絞り装置であることにより、回転繰り出しを行うことのできる電気的絞り装置が可能となり、より自由度の高い設計を可能とする。
請求項７に示す本発明は該電気素子がブレを補正するブレ補正装置の構成の一部とすることにより、ブレ補正装置の構成の一部が回転繰り出しを行うことのできるようになり、より自由度の高い設計を可能とする。
【手続補正９】
【補正対象書類名】明細書
【補正対象項目名】００１２
【補正方法】変更
【補正の内容】
【００１２】
図５はこの時の該フレキシブルプリント配線板２１の作動屈曲部２１ａの配置をマウント方向から見た正面図を示し、フレキガイド部７ａの図示位置７ａが該３群鏡筒７の回転初期ワイド位置で、回転端テレ位置は７ａ´となり、フレキガイド部７ａの図示位置７ａで光軸方向に対し放射方向とほぼ平行になるように配置される該フレキシブルプリント配線板２１のプリント配線面が前記ガイド板１４と外周側に開く形状となるように配設される構成となっている。
【手続補正１０】
【補正対象書類名】明細書
【補正対象項目名】００１４
【補正方法】変更
【補正の内容】
【００１４】
次に、以上の構成の本実施例の動作を説明する。
ズーム位置をワイドからテレに移行させようとする時は、ズーム操作環５を回転すると、ズーム操作環５の内径面の凸カム部５ａと係合する直進筒３のカムフォロア部３ｃにより、直進筒３は固定筒１の直進ガイド溝１ａに直進ガイドキー１０がガイドされ直進移動する。この時、該直進筒３の内径面の凸カム部３ａに係合しているコロ１１は、直進筒３の凸カム部３ａと該固定筒１の３群カム１ｂとの交点に移動するため、コロ１１を保持する３群鏡筒７は該固定筒１の３群カム１ｂに沿って移動することになる。
【手続補正１１】
【補正対象書類名】明細書
【補正対象項目名】００１７
【補正方法】変更
【補正の内容】
【００１７】
【発明の効果】  以上説明したように、請求項１に示す本発明は、固定筒と、該固定筒に対し光軸方向に回転繰り出し作動する移動群と、該移動群に一体的に固定される電気素子と、該固定筒と一体的な固定部に取り付けられた該電気素子を制御するための制御部と、該電気素子と該制御部とを接続するための可撓性プリント配線接続部材と、該可撓性プリント配線接続部材を該制御部に対し該固定筒の光軸方向とほぼ平行に固定保持するための固定側保持部材とを有し、光軸に対し放射方向とほぼ平行に配置される該固定側保持部材と該電気素子との間の該可撓性プリント配線接続部材のプリント配線面が、該移動群の回転初期位置において、光軸位置に対し外周側に開く形状に配設することにより、内周への振込量を調整することが可能になり、可撓性プリント配線接続部材の外内周側に他の構成部品が存在する時にも接触して異音発生や作動不良になることがなく、固定筒に対しフォーカシングやズーミングのために光軸方向に回転繰り出しする移動群に電気素子を一体的に取り付けることが可能となり、より自由度の高い光学設計、鏡筒設計が可能となる。
【手続補正１２】
【補正対象書類名】明細書
【補正対象項目名】００１８
【補正方法】変更
【補正の内容】
【００１８】
請求項２に示す本発明は該可撓性プリント配線接続部材が該固定側保持部材により該固定筒の光軸方向とほぼ平行にＳ字状に配設されていることにより、可撓性プリント配線接続部材に、よりストレスをかけることなく作動を可能にする。
請求項３に示す本発明は該可撓性プリント配線接続部材の可動部分をほぼ直線形状にしたことにより、作動屈曲部の組付けをより容易に行うことができる。
請求項４に示す本発明は該固定側保持部材が該固定筒と一体的に設けることにより、部品点数を削減でき、コストを削減することが可能になる。
【手続補正１３】
【補正対象書類名】明細書
【補正対象項目名】００１９
【補正方法】変更
【補正の内容】
【００１９】
請求項５に示す本発明は該電気素子が一体的に固定される該移動群に、該固定側保持部材と該電気素子との間の該プリント配線面が、該移動群に一体的に固定される電気素子の総回転量のほぼ中間位置で光軸に対し放射方向と平行となるように保持する可動側保持部材を設けることにより、可動側保持部材と固定側保持部材に保持された可撓性プリント配線接続部材の可動領域が省スペースに限定することができるので、回転繰り出しの移動群構成を使用してレンズ鏡筒のより小型化を可能にする。
請求項６に示す本発明は該電気素子が電気的絞り装置であることにより、回転繰り出しを行うことのできる電気的絞り装置を有するレンズ鏡筒を実現可能にする。
請求項７に示す本発明は該電気素子がブレを補正するブレ補正装置の構成の一部とすることにより、ブレ補正装置の構成の一部が回転繰り出しを行うことのできるレンズ鏡筒を実現可能にする。
【手続補正１４】
【補正対象書類名】明細書
【補正対象項目名】符号の説明
【補正方法】変更
【補正の内容】
【符号の説明】  １・・固定筒、１ａ・・直進ガイド溝、１ｂ・・３群カム、１ｃ・・５群カム、２・・マウント、３・・直進筒、３ａ・・凸カム部、３ｂ・・オスヘリコイド、３ｃ・・カムフォロア部、４・・メスヘリコイド環、４ａ・・１群鏡筒、４ｂ・・メスヘリコイド、５・・ズーム操作環、５ａ・・凸カム部、６・・２群鏡筒、７・・３群鏡筒、７ａ・・フレキガイド部、８・・４群鏡筒、９・・５群鏡筒、１０・・直進ガイドキー、１１・・コロ、１２・・コロ軸、１３・・ビス、１４・・ガイド板、１４ａ・・ビス、１５・・制御回路、１５ａ・・コネクタ部、２０・・電磁絞り装置、２１・・フレキシブルプリント配線板、２１ａ・・作動屈曲部、２１ｂ・・外周側円周長、２１ｃ・・内周側円周長。